(57)【要約】エアコン（１００）は、ハウジング（１）と、空気熱交換モジュール（４）と、空気処理モジュール（５）とを含み、ハウジング（１）内には互いに連通しない空気熱交換ダクト（１０１）及び空気処理ダクト（１０２）を有し、空気熱交換モジュール（４）は空気熱交換ダクト（１０１）に設けられ、空気処理モジュール（５）は空気処理ダクト（１０２）に設けられ、ハウジング（１）は第１のパネル（１１）を含み、第１のパネル（１１）には開口（１１０）を有し、開口（１１０）には表示灯（２）が嵌設される。【選択図】図３
2021524008.tif 000002
【特許請求の範囲】
【請求項１】
ハウジングと、空気熱交換モジュールと、空気処理モジュールとを含み、
前記ハウジング内には互いに連通しない空気熱交換ダクト及び空気処理ダクトを有し、
前記空気熱交換モジュールは前記空気熱交換ダクトに設けられ、前記空気熱交換ダクト内の空気を熱交換するために用いられ、
前記空気処理モジュールは前記空気処理ダクトに設けられ、前記空気処理ダクト内の空気に対して加湿及び／又は浄化を行うために用いられ、
前記ハウジングは第１のパネルを含み、前記第１のパネルは開口を有し、前記開口には表示灯が嵌設されることを特徴とするエアコン。
【請求項２】
前記表示灯は第１の部分及び第２の部分を含み、前記第１の部分が前記開口内に嵌合され、前記第２の部分が前記第１の部分に接続され、且つ、前記第１のパネルの内側に配置され、前記第２の部分の横断面が前記開口の横断面よりも大きいことにより、前記表示灯が前記開口から外部へ脱落することを防止することを特徴とする請求項１に記載のエアコン。
【請求項３】
前記第１のパネルの内側にはストッパーを有し、前記ストッパーが前記表示灯の位置を制限することにより、前記表示灯が前記開口から内部へ脱落することを防止することを特徴とする請求項１又は２に記載のエアコン。
【請求項４】
前記開口は前記第１のパネルの長さ方向に延在し、且つ、前記第１のパネルの中心領域に配置されることを特徴とする請求項１〜３のいずれか一項に記載のエアコン。
【請求項５】
前記表示灯はテープライトであり、前記開口は矩形であり、且つ、前記開口の長さは前記開口の幅の８０倍以上であることを特徴とする請求項１〜４のいずれか一項に記載のエアコン。
【請求項６】
前記ハウジングは、前記第１のパネルの両側に設けられた第２のパネル及び第３のパネルをさらに含み、前記第２のパネル及び前記第３のパネルの少なくとも１つは表示制御領域を有し、
前記エアコンは表示制御モジュールをさらに含み、前記表示制御モジュールが前記表示制御領域に嵌設されるか又は前記表示制御領域の内側に配置され、前記表示灯が前記表示制御モジュールに電気的に接続されることを特徴とする請求項１〜５のいずれか一項に記載のエアコン。
【請求項７】
前記ハウジングは、前記第１のパネルの両側に設けられた第２のパネル及び第３のパネルをさらに含み、
前記ハウジングは、
前記第２のパネルの裏側に設けられ、前記第２のパネルとつなぎ合わせて第１のハウス部を形成し、前記空気熱交換モジュールが前記第１のハウス部内に設けられる第２のケースと、
前記第３のパネルの裏側に設けられ、前記第３のパネルとつなぎ合わせて第２のハウス部を形成し、前記空気処理モジュールが前記第２のハウス部内に設けられる第３のケースと、をさらに含むことを特徴とする請求項１〜６のいずれか一項に記載のエアコン。
【請求項８】
前記エアコンは中間支持モジュールをさらに含み、前記中間支持モジュールは前記空気熱交換モジュールと前記空気処理モジュールとの間に支持され、
前記ハウジングはミドルハウジングをさらに含み、
前記ミドルハウジングは、前記中間支持モジュールの全周を取り囲み、且つ、前記第２のケースと前記第３のケースとをつなぎ合わせるように設けられ、
前記第１のパネルは、前記ミドルハウジングの外側に、前記ミドルハウジングの全周の一部を取り囲み、且つ、前記第２のパネルと前記第３のパネルとをつなぎ合わせるように設けられることを特徴とする請求項７に記載のエアコン。
【請求項９】
前記第１のハウス部は前記第２のハウス部の上方に配置され、前記第１のハウス部は第１の吹出口及び第２の吹出口を有し、前記第１の吹出口が前記空気熱交換ダクトに連通し、前記第２の吹出口が前記空気処理ダクトに連通し、前記空気処理ダクトの一部が前記中間支持モジュールにより画定されることを特徴とする請求項８に記載のエアコン。
【請求項１０】
前記ミドルハウジングは透明な部材であることを特徴とする請求項８又は９に記載のエアコン。
【請求項１１】
前記表示灯は前記空気熱交換モジュールに電気的に接続され、前記空気熱交換モジュールの動作状態を異なる色で表示することを特徴とする請求項１〜１０のいずれか一項に記載のエアコン。
【請求項１２】
前記空気処理モジュールは少なくとも前記空気処理ダクト内の空気を浄化するために用いられ、前記エアコンは空気質検出装置をさらに含み、前記表示灯は前記空気質検出装置に電気的に接続され、前記空気質検出装置により検出された室内空気質を異なる色で表示することを特徴とする請求項１〜１１のいずれか一項に記載のエアコン。
【請求項１３】
前記空気処理モジュールは少なくとも前記空気処理ダクト内の空気を加湿するために用いられ、前記エアコンは空気湿度検出装置をさらに含み、前記表示灯は前記空気湿度検出装置に電気的に接続され、前記空気湿度検出装置により検出された室内空気湿度を異なる色で表示することを特徴とする請求項１〜１２のいずれか一項に記載のエアコン。
【発明の詳細な説明】
【技術分野】
【０００１】
「関連出願の相互参照」
本願は、出願番号が２０１９２０２８６５５３．６で、出願日が２０１９年３月６日である中国特許出願に基づき提出され、当該中国特許出願の優先権を主張し、当該中国特許出願の全ての内容が参照により本願に援用される。
【０００２】
本願は、空調装置技術の分野に関し、特にエアコンに関する。
【背景技術】
【０００３】
一部の使用者にとって、室内の実際の状況を正確に予測できないため、エアコンを適切で且つ正確に設定することが難しくなり、エアコンが環境調節の役割を効果的に発揮することができなくなる。さらに、誤設定の問題が生じる可能性もあり、例えば室内温度が低いにも関らず、使用者はエアコンを冷房モードに誤設定してしまえば、エアコンが室内温度をさらに低減し、使用者が不愉快な思いをすることがある。
【発明の概要】
【発明が解決しようとする課題】
【０００４】
本願は、少なくとも従来技術に存在する技術的問題の一つを解決することが目的としている。そこで、本願はエアコンを提供し、当該エアコンは優れた機能を有し、視覚的に使用者に情報を提供することができ、これによって使用者はエアコンをより正確に制御することができる。
【課題を解決するための手段】
【０００５】
本願の実施例に係るエアコンは、ハウジングと、空気熱交換モジュールと、空気処理モジュールとを含み、前記ハウジング内には互いに連通しない空気熱交換ダクト及び空気処理ダクトを有し、前記空気熱交換モジュールは前記空気熱交換ダクトに設けられ、前記空気熱交換ダクト内の空気を熱交換するために用いられ、前記空気処理モジュールは前記空気処理ダクトに設けられ、前記空気処理ダクト内の空気に対して加湿及び／又は浄化を行うために用いられ、前記ハウジングは第１のパネルを含み、前記第１のパネルは開口を有し、前記開口に表示灯が嵌設される。
【０００６】
本願の実施例に係るエアコンは、優れた機能を有し、視覚的に使用者に情報を提供することができ、これによって使用者はエアコンをより正確に制御することができる。
【０００７】
いくつかの実施例において、前記表示灯は第１の部分及び第２の部分を含み、前記第１の部分が前記開口内に嵌合され、前記第２の部分が前記第１の部分に接続され、且つ、前記第１のパネルの内側に配置され、前記第２の部分の横断面が前記開口の横断面よりも大きいことにより、前記表示灯が前記開口から外部へ脱落することを防止する。
【０００８】
いくつかの実施例において、前記第１のパネルの内側にはストッパーを有し、前記ストッパーが前記表示灯の位置を制限することにより、前記表示灯が前記開口から内部へ脱落することを防止する。
【０００９】
いくつかの実施例において、前記開口は前記第１のパネルの長さ方向に延在し、且つ、前記第１のパネルの中心領域に配置される。
【００１０】
いくつかの実施例において、前記表示灯はテープライトであり、前記開口は矩形であり、且つ、前記開口の長さは前記開口の幅の８０倍以上である。
【００１１】
いくつかの実施例において、前記ハウジングは、前記第１のパネルの両側に設けられる第２のパネル及び第３のパネルをさらに含み、前記第２のパネル及び前記第３のパネルの少なくとも一つは表示制御領域を有し、前記エアコンは表示制御モジュールをさらに含み、前記表示制御モジュールが前記表示制御領域に嵌設されるか又は前記表示制御領域の内側に配置され、前記表示灯が前記表示制御モジュールに電気的に接続される。
【００１２】
いくつかの実施例において、前記ハウジングは、前記第１のパネルの両側に設けられた第２のパネル及び第３のパネルをさらに含み、前記ハウジングは、前記第２のパネルの裏側に設けられ、前記第２のパネルとつなぎ合わせて第１のハウス部を形成し、前記空気熱交換モジュールが前記第１のハウス部内に設けられる第２のケースと、前記第３のパネルの裏側に設けられ、前記第３のパネルとつなぎ合わせて第２のハウス部を形成し、前記空気処理モジュールが前記第２のハウス部内に設けられる第３のケースとをさらに含む。
【００１３】
いくつかの実施例において、前記エアコンは中間支持モジュールをさらに含み、前記中間支持モジュールは前記空気熱交換モジュールと前記空気処理モジュールとの間に支持され、前記ハウジングはミドルハウジングをさらに含み、前記ミドルハウジングは、前記中間支持モジュールの全周を取り囲み、且つ、前記第２のケースと前記第３のケースとをつなぎ合わせるように設けられ、前記第１のパネルは、前記ミドルハウジングの外側に、前記ミドルハウジングの全周の一部を取り囲み、且つ、前記第２のパネルと前記第３のパネルとをつなぎ合わせるように設けられる。
【００１４】
いくつかの実施例において、前記第１のハウス部は前記第２のハウス部の上方に配置され、前記第１のハウス部は第１の吹出口及び第２の吹出口を有し、前記第１の吹出口が前記空気熱交換ダクトに連通し、前記第２の吹出口が前記空気処理ダクトに連通し、前記空気処理ダクトの一部が前記中間支持モジュールにより画定される。
【００１５】
いくつかの実施例において、前記ミドルハウジングは透明な部材である。
【００１６】
いくつかの実施例において、前記表示灯は前記空気熱交換モジュールに電気的に接続され、前記空気熱交換モジュールの動作状態を異なる色で表示する。
【００１７】
いくつかの実施例において、前記空気処理モジュールは少なくとも前記空気処理ダクト内の空気を浄化するために用いられ、前記エアコンは空気質検出装置をさらに含み、前記表示灯は前記空気質検出装置に電気的に接続され、前記空気質検出装置により検出された室内空気質を異なる色で表示する。
【００１８】
いくつかの実施例において、前記空気処理モジュールは少なくとも前記空気処理ダクト内の空気を加湿するために用いられ、前記エアコンは空気湿度検出装置をさらに含み、前記表示灯は前記空気湿度検出装置に電気的に接続され、前記空気湿度検出装置により検出された室内空気湿度を異なる色で表示する。
【００１９】
本願の付加的な態様及び利点は、後述する説明に示される。それは、以下の説明によって明らかになり、本願を実施することで理解される。
【図面の簡単な説明】
【００２０】
【図１】図１は、本願の一実施例に係るエアコンの正面図である。
【図２】図２は、図１におけるＡ−Ａ線に沿う断面図である。
【図３】図３は、図２における円Ｂで囲った部分の拡大図である。
【図４】図４は、図１に示される第１のパネルの拡大図である。
【図５】図５は、図１に示されるエアコンの右側面図である。
【発明を実施するための形態】
【００２１】
以下、本願の実施例を詳細に説明し、当該実施例の例は図面の部分に示される。なお、一貫して同一又は類似する符号で、同一もしくは類似する部品又は同一もしくは類似の機能を有する部品を表す。以下の図面を参照して説明される実施例は例示的なもので、本願を解釈するためのものに過ぎず、本願を制限するためのものとして理解されるべきではない。
【００２２】
以下に記載される内容は、本願の異なる構造を実現するための様々な実施例又は例を提供する。本願の説明の簡素化のため、以下、特定の例に係る部品及びその設定を説明する。当然ながら、これらは例示的なものに過ぎず、本願を限定するためのものではない。また、本願において、いくつかの例にわたって同一の数字及び／又は符号が繰り返し参照される。このような繰り返しは説明の簡素化を図り、明瞭にするためことが目的であり、それは様々な実施例及び／又は設定の間の関係性を示してそれを検討するためのものではない。また、本願において様々な特定のプロセス及び材料の例が提供されるが、当業者であれば、その他のプロセスの適用及び／又はその他の材料の使用も可能であることは理解できる。
【００２３】
以下、本願の実施例に係るエアコン１００を説明する。説明すべきこととして、本願の実施例に係るエアコン１００はタイプが限定されず、例えば、セパレート式壁掛け型エアコン、セパレート式床置き型エアコン、移動型エアコン、窓型エアコン等とすることができる。
【００２４】
図１及び図２に示すように、本願の実施例に係るエアコン１００は、ハウジング１と、空気熱交換モジュール４と、空気処理モジュール５とを含むことができる（ただしこれらの部品に限定されない）。ハウジング１内には互いに連通しない空気熱交換ダクト１０１及び空気処理ダクト１０２を有する、すなわち、空気熱交換ダクト１０１と空気処理ダクト１０２は互いに独立し、ハウジング１の外部の空気が空気熱交換ダクト１０１に入ると、空気熱交換ダクト１０１より空気処理ダクト１０２に流入することはなく、ハウジング１の外部の空気が空気処理ダクト１０２になると、空気処理ダクト１０２より空気熱交換ダクト１０１に流入することはない。
【００２５】
図２に示すように、空気熱交換モジュール４は空気熱交換ダクト１０１に設けられ（即ち、空気熱交換モジュール４の少なくとも一部が空気熱交換ダクト１０１内に設けられる）、これによって空気熱交換ダクト１０１内の空気を熱交換する、すなわち、ハウジング１の外部の空気が空気熱交換ダクト１０１に入ると、空気熱交換モジュール４と熱交換することで、温度が上昇して高温空気になるか、温度が下降して低温空気になった後、空気熱交換ダクト１０１よりハウジング１の外部に排出され、環境空気の温度を調節する。これにより、本願の実施例に係るエアコン１００は空気温度を調節する機能を有する。理解できることだろうが、エアコン１００において、空気と熱交換する空気熱交換モジュール４の具体的な構成は当業者が周知することであり、例えば、空気熱交換モジュール４は熱交換器等を含むことができる。また、空気熱交換モジュール４は空気熱交換ダクト１０１に気流を取り入れるためのファン等を含むこともできる。
【００２６】
図２に示すように、空気処理モジュール５は空気処理ダクト１０２に設けられ（即ち、空気処理モジュール５の少なくとも一部は空気処理ダクト１０２内に設けられる）、これによって空気処理ダクト１０２内の空気を加湿及び／又は浄化することができ、すなわち、ハウジング１の外部の空気が空気処理ダクト１０２に入ると、空気処理モジュール５によって加湿される、又は空気処理モジュール５によって浄化され、又は空気処理モジュール５によって加湿されるとともに空気処理モジュール５によって浄化され、その後、空気処理ダクト１０２よりハウジング１の外部に排出されることにより、環境空気の湿度及び／又は空気質を調節する。これにより、本願の実施例に係るエアコン１００は空気湿度及び／又は空気質を調節する機能を有する。
【００２７】
理解できることだろうが、エアコン１００において、空気を加湿する空気処理モジュール５の具体的な構成は当業者が周知することであり、例えば、空気処理モジュール５はウェットフィルム、ウェットカーテン、散水ホイール、超音波発生器等を含むことができる。空気を浄化する空気処理モジュール５の具体的な構成も当業者が周知することであり、例えば、空気処理モジュール５は高効率の空気フィルター、活性炭、光触媒、マイナスイオン発生器等を含むことができる。また、空気処理モジュール５がウェットフィルム、又は散水ホイール等を含む場合、空気を加湿することもできれば、水滴を利用して空気を浄化することもできる。また、空気処理モジュール５は空気処理ダクト１０２に気流を取り入れるためのファン等をさらに含むことができる。
【００２８】
これにより、本願の実施例に係るエアコン１００は優れた機能を有し、エアコン、加湿器、浄化器等を別途購入する必要がなく、室内空間の使用率を低減できるとともに、コスト削減を実現できる。
【００２９】
図１及び図３に示すように、本願の実施例に係るエアコン１００において、ハウジング１は第１のパネル１１を含み、第１のパネル１１に開口１１０を有し、開口１１０に表示灯２が嵌設される。すなわち、表示灯２の少なくとも一部は開口１１０内に配置される。
【００３０】
これにより、表示灯２は、第１のパネル１１の開口１１０が異なる色の光線を切り替えて表示するように予め設定することにより、情報を表示する役割を果たすことができ、これにより、使用者はエアコン１００に近くにいない、エアコン１００のハウジング１のディスプレイを観察できない、且つリモコンを使わないと、リモコンのディスプレイを観察できない場合でも、表示灯が伝える情報を視覚的に受け取ることができ、これによって使用者は当該情報に基づきエアコン１００に対応する制御操作を実行することで、エアコン１００を適切な動作状態に切り替え、最も優れた環境調節機能を発揮させることができる。
【００３１】
即ち、本願の実施例に係るエアコン１００によれば、第１のパネル１１の開口１１０に表示灯２を設けることにより、視覚的に使用者により多くの情報を提供することができ、これによって使用者はエアコン１００の近くにいない又はリモコンを手に取らない場合でも、エアコン１００の現時点の動作状況又は室内環境の状況を一目瞭然に知ることができ、使用者はエアコン１００をより正確に制御し、エアコン１００を適切な動作状態にして、最も優れた環境調節機能を発揮させることができる。
【００３２】
例えば、本願のいくつかの実施例において、表示灯２が異なる色を表示することを利用して、エアコン１００が現時点で冷房状態であるかまたは暖房状態であるかを示すことができる。具体的に、本実施例において、表示灯２は空気熱交換モジュール４に電気的に接続されることにより、空気熱交換モジュール４の動作状態を異なる色で表示することができる。例えば、空気熱交換モジュール４が暖房動作状態である場合、表示灯２が赤（又はオレンジ色等の温色）を表示し、空気熱交換モジュール４が冷房動作状態である場合、表示灯２が青（又は緑等の寒色）を表示することができる。ここで、説明すべきこととして、本実施例において、空気熱交換モジュール４の動作状態に応じて表示灯２により表示される色は、実際の状況に応じて具体的に設定することができ、上記に説明した赤、青に限定されない。
【００３３】
これにより、使用者は、表示灯２に表示された色の違いから、エアコン１００の現時点の動作状態を知り、誤操作を避けることができる。例えば、室内温度が低いにも関わらず、表示灯２が青を表示する場合、エアコン１００は冷房動作状態であり、この時、使用者がエアコン１００の動作モードの選択を誤ることが分かり、使用者はすぐにエアコン１００の動作モードの選択を是正して、エアコン１００が暖房動作状態に切り替わるように制御すれば、表示灯２が切り替わって赤を表示し、使用者は動作モードの選択が是正され、エアコン１００は暖房動作を開始し、室内温度が上昇していくことを知る。
【００３４】
もう一例として、本願のいくつかの実施例において、表示灯２が異なる色を表示することを利用して、室内空気質の状況を示すことができる。具体的に、本実施例において、空気処理モジュール５は少なくとも空気処理ダクト１０２内の空気を浄化するために用いられ、エアコン１００は空気質検出装置８をさらに含むことができ、表示灯２は空気質検出装置８に電気的に接続され、空気質検出装置８により検出された室内空気質を異なる色で表示する。例えば、空気質検出装置８により検出された空気質が良くない場合、表示灯２が赤を表示し、空気質検出装置８により検出された空気質が普通である場合、表示灯２が青を表示し、空気質検出装置８により検出された空気質が良好である場合、表示灯２は緑を表示することができる。
【００３５】
これにより、使用者は、表示灯２により表示された色の違いから、現時点の室内空気質を知り、室内空気質に基づき空気処理モジュール５の動作状態を制御することができる。例えば、室内空気質が良くない場合、表示灯２は赤を表示し、この時、使用者は浄化動作モードを選択することで、空気処理モジュール５に動作を開始させるか、又は浄化動作モードの浄化レベルを上げることにより、なるべく早く室内空気質を改善することができる。表示灯２が青又は緑を表示するようになると、室内空気質が良くなることが示され、この時、使用者は浄化動作モードの浄化レベルを下げるか、又は浄化動作モードをオフにすることにより、省エネルギーの効果を得る。
【００３６】
ここで、説明すべきこととして、本実施例において、空気質に応じて表示灯２により表示される色は、実際の状況に応じて具体的に設定することができ、上記に説明した赤、緑、青に限定されず、且つ、空気質検出装置８が室内空気質の優劣を判断するための具体的な数値も、実際の状況（例えば、エアコン１００はどの国又は地域で使用されているのか）に応じて設定することができる。例えば、国家標準の規定に従って空気質検出装置８の検出パラメータ及び空気質の優劣を判定するための照合用標準値を設定することができる。
【００３７】
もう一例として、本願のいくつかの実施例において、表示灯２が異なる色を表示することを利用して、室内空気の湿度状況を示すことができる。具体的に、本実施例において、空気処理モジュール５は少なくとも空気処理ダクト１０２内の空気を加湿するために用いられ、エアコン１００は空気湿度検出装置９をさらに含むことができ、表示灯２は空気湿度検出装置９に電気的に接続され、空気湿度検出装置９により検出された室内空気湿度を異なる色で表示する。例えば、空気湿度検出装置９により検出された空気湿度が高い場合、表示灯２が緑を表示することで、室内は湿気が多いことを示し、空気湿度検出装置９により検出された空気湿度が低い場合、表示灯２が黄色を表示することで、室内は乾燥していることを示し、空気湿度検出装置９により検出された空気湿度が適切である場合、表示灯２が青を表示することで、室内湿度は適切であることを示す。
【００３８】
これにより、使用者は表示灯２により表示された色の違いから、現時点の室内空気湿度を知ることができ、室内空気湿度に基づき空気処理モジュール５の動作状態を制御することができる。例えば、室内空気湿度が低い場合、室内は乾燥しており、表示灯２が黄色を表示し、この時、使用者は加湿動作モードを選択することで、空気処理モジュール５に動作を開始させるか、又は加湿動作モードの加湿レベルを上げることで、なるべく早く室内空気湿度を上げることができる。表示灯２が緑を表示するようになると、室内空気湿度が高く、室内に湿気が多いことが示され、この時、使用者は加湿動作モードをオフにすることで、室内湿度のさらなる上昇を避けることができる。表示灯２が青を表示するようになると、室内空気湿度が適切であることが示され、この時、使用者は加湿動作モードをオフにすることで、省エネルギーの効果を得ることができる。
【００３９】
ここで、説明すべきこととして、本実施例において、湿度に応じて表示灯２により表示される色は、実際の状況に応じて具体的に設定することができ、上記に説明した緑、黄色、青に限定されず、且つ、空気湿度検出装置９が室内空気湿度の高低を判断するための具体的な数値も、実際の状況（例えば、エアコン１００はどの地域で使用されているのか、又は南方と北方の地域差異）に応じて設定することができる。例えば、国家標準の規定に従って空気湿度検出装置９の検出パラメータ及び空気湿度の高低を判定するための照合用標準値を設定することができる。
【００４０】
また、使用者は自分のニーズに応じて設定してもよく、例えば、表示灯２により表示された色の違いにより、室内空気の湿度状況を示すか、室内空気質状況を示すか、あるいは、エアコン１００が現時点で冷房状態であるかまたは暖房状態であるかを示す。また、開口１１０は複数のサブ開口をさらに含むことができ、表示灯２は各サブ開口にそれぞれに設けられるサブ表示灯を含み、そのうちの１つのサブ表示灯は表示された色の違いに応じて室内空気の湿度状況を示し、もう１つのサブ表示灯は表示された色の違いに応じて室内空気質の状況を示し、さらにもう１つのサブ表示灯は表示された色の違いに応じてエアコン１００が現時点で冷房状態であるかまたは暖房状態であるかを示すことができる。
【００４１】
本願のいくつかの実施例において、図３に示すように、表示灯２は第１の部分２１及び第２の部分２２を含み、第１の部分２１が開口１１０内に嵌合され、第２の部分２２が第１の部分２１に接続され、且つ、第１のパネル１１の内側に配置され、第２の部分２２の横断面が開口１１０の横断面よりも大きいことにより、表示灯２が開口１１０から外部へ脱落することを防止する。ここで、説明すべきこととして、本明細書に記載の用語「外」とは、ハウジング１の中心から遠ざかる側を指す。これにより、表示灯２を上記形状に加工することにより、表示灯２が開口１１０から外部へ脱落することを簡単で且つ効果的に避けることができ、表示灯２の第１のパネル１１への取り付けも容易になり、すなわち、組み立てる際、表示灯２を外側に向けるように内部にセットし、第１の部分２１を開口１１０内に係止させ、第２の部分２２を第１のパネル１１の裏面に受け止めれば、表示灯２を第１のパネル１１の所定位置に組み立てることができ、これによって組立効率が向上し、その他の位置決め構造を省略することができる。当然ながら、本願はこの方式に限定されず、表示灯２はその他のより複雑な形状に加工されてもよく、ここでその説明は省略される。
【００４２】
本願のいくつかの実施例において、図３に示すように、第１のパネル１１の内側にはストッパー３を有し、ストッパー３が表示灯２の位置を制限することにより、表示灯２が開口１１０から内部へ脱落することを防止する。ここで、説明すべきこととして、本明細書に記載の用語「内」とは、ハウジング１の中心に近い側を指す。これにより、ストッパー３を設けることにより、使用者はミスをして外側から表示灯２を押し込でしまう場合、表示灯２が内側に行って開口１１０を離れるようなことは避けられ、表示灯２の組み立ての信頼性が向上する。理解できることだろうが、上述した位置制限機能を有するストッパー３は多くの選択肢があり、例えば粘着テープ、回転嵌合式バックル等とすることができ、ここで限定されない。当然ながら、本願はこれらに限定されるものではなく、本願のその他の実施例において、ストッパー３を省略してもよく、例えばエアコン１００が後述するミドルハウジング１４をさらに含む場合、表示灯２の内側端（即ちハウジング１の中心に近い端部）をミドルハウジング１４の外面に受け止めることにより、表示灯２が開口１１０から内部へ脱落することを簡単で且つ効果的に避けることができる。
【００４３】
本願のいくつかの実施例において、表示灯２はテープライトとすることができる。これにより、入手しやすくコストが下がり、交換とメンテナンスが容易であるだけでなく、壊れにくく、耐用年数が長くなり、マルチカラーでの表示というニーズが満たされる上に、テープライトの電力消費量が低く、省エネルギー効果にも優れる。当然ながら、本願はこれに限定されるものではなく、表示灯２はその他の形式の構造として構成されてもよく、例えば、本願の一つの具体例において、表示灯２はガラスカバー及びガラスカバー内に設けられる光源等をさらに含むことができ、ここでその説明は省略される。
【００４４】
また、テープライトとしての表示灯２を使用する場合、図４に示すように、開口１１０は矩形であり、開口１１０の長さＬが開口１１０の幅Ｗの８０倍以上で、即ちＬ≧８０Ｗであるとすることができ、これにより、テープライトは開口１１０内に装填されやすくなり、また、開口１１０は直線状であるため、それによって広い範囲が照らされることはなく、エアコン１００を夜間に使用する場合、表示灯２の光線が使用者の休みに影響を与えることはなく、省エネルギー効果にも優れる。
【００４５】
本願のいくつかの実施例において、図４に示すように、開口１１０は第１のパネル１１の長さ方向に延在する、すなわち、開口１１０の長さ方向は第１のパネル１１の長さ方向と同じであり（例えば、いずれも図４に示される左右方向である）、開口１１０は第１のパネル１１の中心領域Ｓに配置され、ただし、中心領域Ｓとは、第１のパネル１１の長さを三等分し、２本の第１三等分線Ｌ１を作成し、第１のパネル１１の幅を三等分し、２本の第２三等分線Ｌ２を作成し、２本の第１三等分線Ｌ１と２本の第２三等分線Ｌ２が交差して形成された中央領域は第１のパネル１１の中心領域Ｓである（例えば、図４に示される陰影領域である）。これにより、表示灯２は第１のパネル１１の空間を十分に利用して表示することができ、また、表示灯２は目立つ位置にあるため、使用者が容易に見ることができる。なお、開口１１０は中揃えに設置されるため、その加工と表示灯２の組み立てが容易である。
【００４６】
本願のいくつかの実施例において、図１に示すように、ハウジング１は第２のパネル１２１及び第３のパネル１３１をさらに含むことができ、第２のパネル１２１及び第３のパネル１３１は第１のパネル１１の両側にそれぞれ設けられ、例えば、エアコン１００が縦型である場合、第２のパネル１２１及び第３のパネル１３１は第１のパネル１１の上下両側にそれぞれ配置されてもよい。もう一例として、エアコン１００が横型である場合、第２のパネル１２１及び第３のパネル１３１は第１のパネル１１の左右両側にそれぞれ配置されてもよい（当該例は図示されていない）。
【００４７】
図１及び図２に示すように、第２のパネル１２１及び第３のパネル１３１の少なくとも一つに表示制御領域１２０を有し、エアコン１００は表示制御モジュール７をさらに含むことができ、表示制御モジュール７は表示制御領域１２０に嵌設されるか又は表示制御領域１２０の内側に配置される。すなわち、表示制御領域１２０が穿孔して形成された領域である場合、表示制御モジュール７を表示制御領域１２０に嵌設することで、使用者は直接それに接触することができる。表示制御領域１２０が実体構造として形成された領域である（凹溝領域及び平面領域を含む）場合、表示制御モジュール７を表示制御領域１２０の内側に配置し、且つ、表示制御領域１２０の内側に隠れて設けることにより、使用者が直接それに接触することを避けることができる。理解できることだろうが、表示制御モジュール７は表示機能を有し（例えば、ディスプレイを含む）、トリガーされることも可能である（例えば、タッチパネル又はキー等を含む）。
【００４８】
これにより、本願の実施例に係るエアコン１００は、表示制御領域１２０の表示制御モジュール７によって使用者に情報をフィードバックし、使用者の指令を受けることができる。ただし、表示灯２は表示制御モジュール７に電気的に接続されてもよく、例えば、表示灯２の引出し線を表示制御モジュール７の回路基板に差し込むことができ、これにより、第１のパネル１１は第２のパネル１２１及び第３のパネル１３１と距離が短いため、表示灯２は表示制御モジュール７と距離が短いことになり、表示灯２の引出し線を表示制御モジュール７の回路基板に接続させれば、表示灯２の引出し線を短縮することができ、エアコン１００の配線が整然としており、シンプルになるだけでなく、配線の信頼性及び安全性が向上する。
【００４９】
本願のいくつかの実施例において、図１及び図５に示すように、ハウジング１が第２のパネル１２１及び第３のパネル１３１を含み、第２のパネル１２１及び第３のパネル１３１が第１のパネル１１の両側にそれぞれ設けられる場合、ハウジング１は、第２のケース１２２及び第３のケース１３２をさらに含むことができ、第２のケース１２２は第２のパネル１２１の裏側に設けられ、且つ、第２のパネル１２１とつなぎ合わせて第１のハウス部１２を形成し、空気熱交換モジュール４は第１のハウス部１２内に設けられ、第３のケース１３２は第３のパネル１３１の裏側に設けられ、且つ、第３のパネル１３１とつなぎ合わせて第２のハウス部１３を形成し、空気処理モジュール５は第２のハウス部１３内に設けられる。説明すべきこととして、本明細書の記載に出現する用語「裏側」とは、エアコン１００の正常使用時における使用者に反対する側を指し、その対向する側は「前側」で、即ちエアコン１００の正常使用時における使用者に向き合う側である。
【００５０】
これにより、エアコン１００の構造がシンプルであり、加工及び組み立てが容易になり、また、第１のパネル１１は第２のパネル１２１と第３のパネル１３１との間に配置されるため、表示灯２は第１のハウス部１２と第２のハウス部１３との間に配置され、又はそのあたりに配置されることになり、これによって表示灯２はエアコン１００の全体の中心位置に配置され、表示灯が目立つ位置に配置されるため、使用者はそれを容易に観察することができる。また、説明すべきこととして、本明細書に出現する用語「つなぎ合わせる」は広い意味で理解されるものであり、直接的な接続も、間接的な接続も含まれる。
【００５１】
本願のいくつかの実施例において、図２及び図５に示すように、エアコン１００は中間支持モジュール６をさらに含むことができ、中間支持モジュール６は空気熱交換モジュール４と空気処理モジュール５との間に支持され、ハウジング１はミドルハウジング１４をさらに含むことができ、ミドルハウジング１４は中間支持モジュール６の全周にわたって取り囲み、且つ、第２のケース１２２と第３のケース１３２とをつなぎ合わせるように設けられ、第１のパネル１１はミドルハウジング１４の外側に、ミドルハウジング１４の全周の一部にわたって取り囲み、且つ、第２のパネル１２１と第３のパネル１３１とをつなぎ合わせるように設けられる。
【００５２】
これにより、このように構成されるエアコン１００は、使用者は前側から順につなぎ合わせてある第２のパネル１２１、第１のパネル１１及び第３のパネル１３１を見ることができ、また使用者は裏側から順につなぎ合わせてある第２のケース１２２、ミドルハウジング１４及び第３のケース１３２を見ることができる。この場合、ハウジング１の構造がシンプルであり、加工と組み立てが容易になる。また、中間支持モジュール６を設けることにより、空気熱交換モジュール４及び空気処理モジュール５の相対的な位置を確実に決定することができる。本願のいくつかの具体例において、ミドルハウジング１４は透明な部材とすることができ、使用者は裏側からミドルハウジング１４を隔ててその内部の中間支持モジュール６を観察することができる。
【００５３】
本願のいくつかの実施例において、図２及び図５に示すように、第１のハウス部１２は第２のハウス部１３の上方に配置され、第１のハウス部１２に第１の吹出口１２ａ及び第２の吹出口１２ｂを有し、第１の吹出口１２ａは空気熱交換ダクト１０１に連通し、第２の吹出口１２ｂは空気処理ダクト１０２に連通し、空気処理ダクト１０２の一部は中間支持モジュール６により画定される。これにより、第１のハウス部１２内の空気熱交換モジュール４は第１のハウス部１２上の第１の吹出口１２ａより直接外部へ送風することができ、第２のハウス部１３内の空気処理モジュール５は中間支持モジュール６によって気流を第１のハウス部１２に吹き出すことで、第１のハウス部１２上の第２の吹出口１２ｂより外部へ送風することができ、これによって空気熱交換ダクト１０１の送風位置の高さ、及び空気処理ダクト１０２の送風位置の高さが保証され、エアコン１００の空気調節効果が向上する。
【００５４】
また、図１及び図５に示すように、本願の実施例に係るエアコン１００において、第１のハウス部１２は第１の吹出口１２ａ及び第２の吹出口１２ｂを開閉するための開閉ドア１２３等をさらに含むことができる。また、理解できることだろうが、本願の実施例に係るエアコン１００において、ハウジング１に空気熱交換ダクト１０１に連通する第１の取入口、及び空気処理ダクト１０２に連通する第２の取入口をさらに有することができ、第２の取入口は室内機取入口及び／又は新鮮空気取入口等とすることができる。また、本願の実施例に係るエアコン１００に関するその他の構成（例えば圧縮機等）及び動作原理はいずれも当業者が周知することであるため、ここでその説明は省略される。
【００５５】
本願の説明において、理解すべきこととして、用語「第１」、「第２」、「第３」は説明目的のものに過ぎず、相対的な重要性を指示又は示唆するもの、あるいはそれによって指示される技術的特徴の数量を暗黙的に指示するものとして理解されるべきではない。これにより、「第１」、「第２」で限定される特徴は１つの又は複数の当該特徴を明確に又は暗黙的に含むことができる。本願の説明において、別に明確な具体的限定がある場合を除き、「複数」は２つ以上を意味する。
【００５６】
本願の説明において、別に明確な規定及び限定がある場合を除き、「取り付ける」、「接続」、「連結」、「固定」等用語は広い意味で理解されるものである。例えば、直接的な接続であってもよければ、中間の媒介を介する間接的な接続であってもよく、なお２つの部品が内部に連通するか、２つの部品が相互に作用し合う関係にあることとすることもできる。当業者であれば、具体的な状況によって上記用語の本願における具体的な意味を理解することができる。本願において、別に明確な規定及び限定がある場合を除き、第１の特徴が第２の特徴の「上」又は「下」に配置されるというのは、第１と第２の特徴が直接的に接触することであってもよければ、又は第１と第２の特徴が中間の媒介を介して間接的に接触することであってもよい。
【００５７】
本明細書の説明において、「１つの実施例」、「いくつかの実施例」、「例」、「具体例」、又は「いくつかの例」等用語が含まれた説明は、当該実施例又は例を用いて説明される具体的な特徴、構造、材料又は利点は本願の少なくとも１つの実施例又は例に含まれることが意図されるものである。本明細書において、上記用語に関する例示的な表現は、必ずしも同一の実施例又は例に関するものとは限らない。なお、説明される具体的な特徴、構造、材料又は利点はいずれか１つ又は複数の実施例もしくは例で、適切な方式で組み合わせることができる。また、互いに矛盾が生じない限り、当業者が本明細書で説明される同一の実施例又は例、もしくは異なる実施例又は例の特徴を組み合わせることができる。
【００５８】
本願の実施例を示す上にそれを説明しているが、当業者であれば理解できるように、本願の原理及び趣旨を逸脱しないことを前提として、なおもこれらの実施例に対して様々な変更、修正、置換及び変形を行うことができ、本願の範囲は特許請求の範囲及びそれと同等なものによって限定される。
【符号の説明】
【００５９】
１００  エアコン
１  ハウジング
１０１  空気熱交換ダクト
１０２  空気処理ダクト
１１  第１のパネル
１１０  開口
１２  第１のハウス部
１２１  第２のパネル
１２２  第２のケース
１２０  表示制御領域
１２ａ  第１の吹出口
１２ｂ  第２の吹出口
１２３  開閉ドア
１３  第２のハウス部
１３１  第３のパネル
１３２  第３のケース
１４  ミドルハウジング
２  表示灯
２１  第１の部分
２２  第２の部分
３  ストッパー
４  空気熱交換モジュール
５  空気処理モジュール
６  中間支持モジュール
７  表示制御モジュール
８  空気質検出装置
９  空気湿度検出装置
【図１】
2021524008.tif 000003
【図２】
2021524008.tif 000004
【図３】
2021524008.tif 000005
【図４】
2021524008.tif 000006
【図５】
2021524008.tif 000007
【国際調査報告】
2021524008.tif 000008
2021524008.tif 000009
2021524008.tif 000010
2021524008.tif 000011
2021524008.tif 000012